(57)【要約】      （修正有）【課題】前屈みが容易に行えない高齢者に対して使い勝手を良くすること。【解決手段】剛性の高い線材で形成された本体部２と、該本体部が収納される収納ケース３とからなり、前記本体部は、先端部側から後端部側まで一連の線材を左右平行に所要間隔をもって形成すると共に、後端部側を僅かに拡径して把持部とし、前記本体部の先端部側を鋭角に折り曲げて所要長さのフック部５に形成し、該フック部を形成する折り曲げ部分は所要のアールをもった曲面に形成し、前記収納ケースは、前記本体部における先端部側のフック部を除く部分が納まる平坦な袋状に形成すると共に、本体部のループ状の把持部と係合して引き出しを制限するストッパー部材を設け、前記本体部を収納ケースから引き出して使用する時に、前記収納ケースが補助把持部として使用されるように構成した。【選択図】図３
2014155684.tif 000002
【特許請求の範囲】
【請求項１】
剛性の高い線材で形成された本体部と、該本体部が収納される収納ケースとからなり、
前記本体部は、先端部側から後端部側まで一連の線材を左右平行に所要間隔をもって形成すると共に、後端部側を僅かに拡径して把持部とし、
前記本体部の先端部側を鋭角に折り曲げて所要長さのフック部に形成し、
該フック部を形成する折り曲げ部分は所要のアールをもった曲面に形成し、
前記収納ケースは、前記本体部における先端部側のフック部を除く部分が納まる平坦な袋状に形成すると共に、本体部のループ状の把持部と係合して引き出しを制限するストッパー部材を設け、
前記本体部を収納ケースから引き出して使用する時に、前記収納ケースが補助把持部として使用されること
を特徴とする収納ケース付き携帯用靴べら。
【請求項２】
前記可撓性材料としては、皮革または柔軟性のあるプラスチックであること
を特徴とする請求項１に記載の収納ケース付き携帯用靴べら。
【請求項３】
前記鋭角の折り曲げ角度は、少なくとも７０±５°の範囲であること
を特徴とする請求項１乃至２に記載の収納ケース付き携帯用靴べら。
【請求項４】
前記可撓性材料の先端部側に本体部のフック部の大半を覆うと共に、先端が露出するスリット状の開口部を有する湾曲状の蓋部が形成されていること
を特徴とする請求項１乃至３のいずれかに記載の収納ケース付き携帯用靴べら。
【発明の詳細な説明】
【技術分野】
【０００１】  本発明は、剛性の高い金属線材を使用した高齢者向きの収納ケース付き携帯用靴べらに関するものである。
【背景技術】
【０００２】  この種の携帯用の靴べらとしては、複数のものが従来例として公知になっている。その内の第Ｉの従来例としては、同一出願人に係る靴べらであって、波動形に形成した針金をクリップを設けたキャップに固着し、前記針金にさやを設けた構成にした携帯靴べらである（実用新案登録第３１７４３２９号公報）。【０００３】  この携帯靴べらは、小型軽量に仕上がり、洋服の内ポケットに嵩張ることなくクリップで止めて携帯できる。また、針金に鞘を設けたことで汚れや匂いなど気になる衛生面の解消に役立つ、というものである。【０００４】  また、公知に係る第２の従来例としては、靴べら本体をかかとに合わせて湾曲させると共に、靴べら本体と、靴のかかとの上部との係止手段（実施例では、楕円孔、左右縁部の弧状凹入部等）を設けた靴べらである（請求項４）（特開２０００−１５３号公報）。【０００５】  この靴べらは、靴べらの滑り面側先端部に、靴のかかととの係止手段乃至摩擦手段を設けたので、使用時に靴べらの脱抜抵抗が大きく、使用中に靴べらが抜け出すおそれがない。また滑り面側を肉薄としたので、かかとと靴のかかととの間のスペースが狭くなり、フィットした靴でも容易に履き得るとともに、滑り面をくぼみ状にしたのでかかとを靴べらに押しつけることにより、足を前進させる分力が生じ、靴を円滑容易に履くことができる、というものである。【０００６】  さらに、公知に係る第３の従来例としては、一対の柄と、該一対の柄を連結した連結部とを有し、前記柄は、先端において平板状に形成されたへら部と、該へら部と連結部との間において略円弧状に形成された支持部とを具備する靴べらである（特開２００５−２３７５３３号公報）。【０００７】  この靴べらは、一方の柄のへら部で靴のベロ部の垂れ下がりを防止して押し上げるとともに、他方の柄のへら部を靴の踵部に当接させることにより、足を挿入できる空間を確保でき、ベロ部や踵部を巻き込むことなく容易に足を主縁込ませて挿入することができる。また、へら部は平板状に形成されているので、へら部自体が容易に変形するとともに、へら部と支持部との境界を中心に容易に変形し、容易に足を滑り込ませることができる、というものである。
【先行技術文献】
【特許文献】
【０００８】
【特許文献１】  実用新案登録第３１７４３２９号公報
【特許文献２】  特開２０００−１５３号公報
【特許文献３】  特開２００５−２３７５３３号公報
【発明の概要】
【発明が解決しようとする課題】
【０００９】  公知に係る第１の従来例の携帯靴べらは、例えば、スニーカーのような軽量でソフトなシューズは踵部が柔らかいので、そのようなシューズを履こうとした時に、踵部を起立状態に維持して履くのが難しく、踵部を引き上げようとすると簡単に抜けてしまい、特に、高齢者の場合は、軽量で歩き易いスニーカーを使用することが多いが、身体を前屈みに深く折り曲げること自体が困難であるため、シューズの踵部に指をかけて履くのが容易ではないのであり、前記構造の靴べらは、携帯に便利であるが、実質的に使用できないという問題点を有している。【００１０】  また、公知に係る第２の従来例の靴べらは、係止手段が楕円孔または左右縁部の弧状凹入部であることからして、倒伏している柔らかいシューズの踵部を起立状態に引き上げることができないばかりでなく、身体を前屈みに深く折り曲げることが困難な高齢者には、その取り扱いまたは使用が極めて困難であり使い勝手が悪いという問題点を有している。【００１１】  さらに、公知に係る第３の従来例の靴べらは、一対の柄を連結した連結部と、柄の先端に形成されたへら部とからなるものであって、全体として極めて長尺であり、携帯できないばかりでなく、ベロ部の垂れ下がりを防止し且つ靴の踵部に当接させた状態で、前後方向に位置する両連結部の間の空間部に足を入れて靴を履くというものであるが、その空間部につま先と踵が前後方向に向いている足を入れること自体が困難であり、その取り扱いおよび操作が極めて面倒であって、一般的な設置または据え置き式の靴べらを使用する方が操作し易いように思料される。【００１２】  従って、いずれの従来例においても、スニーカーのような軽量でソフトなシューズを履くのには向いていないし、特に、前屈みが容易に行えない高齢者に対して使い勝手を良くすることに解決課題を有する。
【課題を解決するための手段】
【００１３】  本発明は、前記課題を解決する具体的手段として、剛性の高い線材で形成された本体部と、該本体部が収納される収納ケースとからなり、前記本体部は、先端部側から後端部側まで一連の線材を左右平行に所要間隔をもって形成すると共に、後端部側を僅かに拡径して把持部とし、前記本体部の先端部側を鋭角に折り曲げて所要長さのフック部に形成し、該フック部を形成する折り曲げ部分は所要のアールをもった曲面に形成し、前記収納ケースは、前記本体部における先端部側のフック部を除く部分が納まる平坦な袋状に形成すると共に、本体部のループ状の把持部と係合して引き出しを制限するストッパー部材を設け、前記本体部を収納ケースから引き出して使用する時に、前記収納ケースが補助把持部として使用されることを特徴とする収納ケース付き携帯用靴べらを提供するものである。【００１４】  前記発明において、前記可撓性材料としては、皮革または柔軟性のあるプラスチックであること；前記鋭角の折り曲げ角度は、少なくとも７０±５°の範囲であること；および前記可撓性材料の先端部側に本体部のフック部の大半を覆うと共に、先端が露出するスリット状の開口部を有する湾曲状の蓋部が形成されていること、を付加的な要件として含むものである。
【発明の効果】
【００１５】  本発明に係る収納ケース付き携帯用靴べらによれば、剛性の高い線材で形成された本体部と、該本体部が収納される収納ケースとからなり、前記本体部の先端部側を鋭角に折り曲げて所要長さで且つ所要のアールをもった曲面のフック部に形成し、前記収納ケースは、前記本体部のフック部を除く部分が納まる平坦な袋状に形成し、本体部のループ状の把持部と係合して引き出しを制限するストッパー部材を設けてあって、前記本体部を収納ケースから引き出して使用する際に、前記収納ケースが補助把持部として使用されるように構成されているため、収納ケースに収めた状態であるから携帯に便利であると共に、使用時に本体部を引き出した後に収納ケースが補助把持部として利用できるので安定した状態で持つ（掴む）ことができ、しかも、先端部側のフック部をシューズの踵に引っ掛けて後方に引くことによって、シューズの踵を起立状態に維持して履き口を広く保ち、且つ、フック部形成の折り曲げ部分を曲面に形成することで履く操作が容易に行えるので、特に、高齢者でも、この動作が簡単に行えるので、スニーカーのようなソフトなシューズも簡単に履くことができるという優れた効果を奏する。
また、収納ケースを皮革で形成した場合に、携帯しても体裁が良く、フック部の先端部が蓋部から露出しているので、引き出し操作が容易である。
【図面の簡単な説明】
【００１６】
【図１】本発明の好ましい実施の形態に係る収納ケース付き携帯用靴べらを示した斜視図である。
【図２】同実施の形態に係る収納ケース付き携帯用靴べらの本体部を引き出し、且つ蓋部を開いて示した斜視図である。
【図３】同実施の形態に係る収納ケース付き携帯用靴べらの使用状況を示した側面から見た斜視図である。
【発明を実施するための形態】
【００１７】  本発明に係る収納ケース付き携帯用靴べらについては、同一出願人において、平成２４年１０月５日付けで出願した出願番号、特願２０１２−２３５１３８に係る先願発明の改良発明であり、主たる構成部分の本体部は、先願発明の本体部の構成をほぼ全面的に採用したものである。そこで、改良発明の実施の形態について説明すると、図１、２において、収納ケース付き携帯用靴べら１は、本体部２と収納ケース３とから構成され、本体部２は、剛性の高い所要太さの線材を使用して、先端部側から後端部側まで一連の線材を左右平行に所要間隔をもって形成すると共に、後端部側を僅かに拡径して係止部又は把持部４とし、該把持部４の後端部側は線材を内側に折り曲げて突き合わせてループ状に形成する。そして、本体部２の先端部側は鋭角に折り曲げて所要長さのフック部５とし、その鋭角に折り曲げる部分は所要のアールをもった曲面６に形成したものである。
【００１８】  本体部２を構成する剛性の高い線材としては、ステンレスが使用され、線材の所要太さは１．５±０．３ｍｍで、所要間隔は概ね大人の指の太さ（１５ｍｍ）程度であり、前記フック部５の所要長さは８〜１５ｍｍ程度であり、鋭角の角度としては少なくとも７０±５°程度の範囲である。そして、本体部２の中間部付近に波形の折り曲げ部２ａを対称的に形成することによって、中間部付近の剛性強度が増大し、使用時において無理な力が加えられても本体部２が変形せず、機能と形状維持に寄与するのである。
【００１９】  また、前記収納ケース３は、前記本体部２を収納するのみならず補助把持部としても利用されるのである。そのためには、可撓性材料で、好ましくは皮革を使用して、少なくとも本体部２における先端部側のフック部５を除く部分がすっぽりと入り、本体部２が出し入れできるように平坦な袋状に逢着して形成したものである。そして、収納ケース３の先端部側には、本体部２における先端側のフック部５の大半を覆って保護または体裁を整えるために、湾曲状の蓋部７を一連に形成し、該蓋部材７は嵌め外し可能な部材、例えば、ホック８を介して開閉可能に形成されている。なお、可撓性材料としては、その他に柔軟性のあるプラスチック、例えば、ビニール等の軟質プラスチック材であっても良い。
【００２０】  この蓋部７には、靴べらとして使用時に、閉めた状態で本体部２を引き出せるようにスリット状の開口部９が形成され、該開口部９からフック部５の先端が一部突出または露出した状態で収納されるのである。さらに、本体部２の引き出しをループ状の把持部４と係合して制限する、例えば、鳩目部材等のストッパー部材１０を収納ケース３に設けてある。
そして、携帯に際しては、図１に示した状態にするので、体裁が良くて小型で軽量であり洋服のポケット等に入れて持ち運べるので便利である。
【００２１】  このように構成された収納ケース付き携帯用靴べら１は、図３に示したように、収納ケース３から本体部２を引き出すと、収納ケース３が補助把持部となるのであり、該収納ケース３を握ってシューズ１１の踵１２にフック部５を引っ掛けた状態で、足のつま先をスニーカーのようなソフトなシューズ１１内に入れて、携帯用靴べら１を後方に引き戻すようにしながら足の踵部を踏み込むようにすることにより、曲面６に沿って踵部が滑り込むので、スニーカーのようなソフトなシューズ１１でも、簡単に履くことができるのである。
【００２２】  特に、収納ケース付き携帯用靴べら１は、本体部２を収納する収納ケース３が補助把持部となるので、収納ケース３を手で握ることにより、安定した状態で靴べら１を持つ（掴む）ことができ、フック部５をシューズ１１の踵１２に引っ掛けて後方に引いて、シューズを履く操作が容易に行えるのであるから、高齢者でも、この動作が簡単に行えるので、スニーカーのようなソフトなシューズ１１も簡単に履くことができるのである。なお、スニーカーのみならず、通常の革靴でも同様にして使用できることはいうまでもない。
【産業上の利用可能性】
【００２３】  本発明に係る収納ケース付き携帯用靴べら１は、本体部２が剛性の高い線材で構成され、該本体部２が収納される収納ケース３は可撓性材料で補助把持部として形成され、前記本体部２は、先端部側から後端部側まで一連の線材を左右平行に所要間隔をもって形成すると共に、後端部側をループ状の係止部又は把持部４とし、前記本体部２の先端部側を鋭角に折り曲げて所要長さのフック部５に形成し、該フック部５を形成する折り曲げ部分は所要のアールをもった曲面６に形成した構成としたものであり、構成が簡単でありながら、使用時において、収納ケース３から本体部２を引き出し、補助把持部である収納ケース３を握ってフック部５をシューズ１１の踵１２に引っ掛け、つま先をシューズ１１内に入れた状態で、靴べらを後方に引きながら足の踵を踏み込みさえすれば、曲面６の存在によって足の踵が滑り込み、簡単に履くことができるのであり、高齢者や身障者のみならず、広く一般に利用できるのである。
【符号の説明】
【００２４】１  収納ケース付き携帯用靴べら
２  本体部
２ａ  波形の折り曲げ部
３  収納ケース（補助把持部）
４  把持部
５  フック部
６  曲面
７  蓋部材
８  ホック
９  開口部
１０  ストッパー部材
１１  シューズ
１２  踵
【図１】
2014155684.tif 000003
【図２】
2014155684.tif 000004
【図３】
2014155684.tif 000005